(57)【要約】【課題】所望の位置に精度良く導電性ペーストを塗布することができる脳波計を提供する。【解決手段】脳波計１００は、使用者１０の頭部に装着可能な脳波計であって、脳波計１００が頭部に装着された場合に、頭部に沿って左右の耳介に向けて延在する本体フレーム２０と、脳波を検出するための電極３４を有する電極部３０であって、本体フレーム２０に設けられる電極部３０と、電極３４に接触される導電性ペーストＰを電極３４に塗布する塗布部１５０と、を備え、電極３４は、頭部と接触する状態及び非接触になる状態が変更できるように本体フレーム２０に対して移動可能に電極部３０に設けられ、塗布部１５０は、電極３４の移動に応じて、導電性ペーストＰを電極３４に塗布する。【選択図】図４Ａ
2019000406.tif 000002
【特許請求の範囲】
【請求項１】
頭部に装着可能な脳波計であって、
前記脳波計が前記頭部に装着された場合に、前記頭部に沿って左右の耳介に向けて延在する本体フレームと、
脳波を検出するための電極を有する電極部であって、前記本体フレームに設けられる電極部と、
前記電極に接触される導電性ペーストを前記電極に塗布する塗布部と、を備え、
前記電極は、前記頭部と接触する状態及び非接触になる状態が変更できるように前記本体フレームに対して移動可能に前記電極部に設けられ、
前記塗布部は、前記電極の移動に応じて、前記導電性ペーストを前記電極に塗布する
脳波計。
【請求項２】
前記塗布部は、前記導電性ペーストが蓄えられるシリンジを備え、
前記シリンジは、
前記電極の前記頭部に接触する方向への移動に連動して、前記電極と前記頭部との間に前記導電性ペーストを送出することにより、前記導電性ペーストを前記電極に塗布する
請求項１記載の脳波計。
【請求項３】
前記塗布部は、前記導電性ペーストが蓄えられる容器を備え、
前記電極は、
前記頭部に接触する方向への移動に連動して、前記容器内の前記導電性ペーストと前記電極の接触面とが接触して、前記導電性ペーストが前記接触面に塗布され、前記導電性ペーストが塗布された前記接触面が前記頭部と対向するように回転する
請求項１記載の脳波計。
【請求項４】
さらに、前記電極の前記頭部に接触する方向への移動に連動して、前記電極から離れる方向に頭髪を掻き分ける櫛部を備える
請求項１〜３のいずれか１項に記載の脳波計。
【請求項５】
前記櫛部は、
前記電極が移動可能な方向に平行な方向に延在する筒部と、
前記筒部に内包される櫛歯部であって、前記電極の前記頭部に接触する方向への移動に連動して、前記櫛歯部における前記頭部側の端部が、前記筒部から突出して前記電極から離れる方向へ変形される櫛歯部とを備える
請求項４記載の脳波計。
【請求項６】
さらに、前記電極を前記頭部側へ付勢する押圧部を備える
請求項１〜５のいずれか１項に記載の脳波計。
【請求項７】
前記押圧部は、ばねである
請求項６記載の脳波計。
【請求項８】
前記電極は、皿電極である
請求項１〜７のいずれか１項に記載の脳波計。
【発明の詳細な説明】
【技術分野】
【０００１】
本発明は、脳波計に関する。
【背景技術】
【０００２】
脳活動を計測する装置として、脳波計が知られている。脳波計は、頭部に配置された電極で脳活動に伴う電位の変化を計測することにより、脳活動を非侵襲に計測する装置である（例えば、特許文献１参照）。
【０００３】
特許文献１に記載の脳波計は、複数の電極を含み、当該複数の電極がフレキシブル表面に設けられ、使用者の頭回りに少なくとも部分的に置かれるように構成されるハウジング、及び、当該ハウジングの内側に少なくとも１つの弾性バンドを含む。
【０００４】
また、特許文献１に記載の脳波計は、さらに弾性バンドの内側に位置決めストラップを含み、フレキシブル表面へ固定される。また、位置決めストラップは開口部を含む。ハウジングが使用者の頭に置かれた場合に、当該開口部を通って、電極が突出する。
【０００５】
これにより、ハウジングが使用者の頭の回りに置かれた場合に、使用者の頭の回りにハウジングを置くことで生じる伸長による弾性要素内の応力が、使用者の頭の曲線に従って、頭骨の方向へ複数の電極に圧力をかける。そのため、複数の電極は、頭部に効果的に接触される。
【先行技術文献】
【特許文献】
【０００６】
【特許文献１】特開２０１３−５０９９０６号公報
【発明の概要】
【発明が解決しようとする課題】
【０００７】
ところで、脳波計においては、脳波を精度良く測定するために、頭部と電極との間に導電性ペーストが塗布される場合がある。この場合には、まず、頭皮に導電性ペーストを塗布し、その後で、頭部に脳波計を装着させる。
【０００８】
ここで、頭髪等によって、電極が頭皮にうまく当たらない場合、接触インピーダンスが高くなり、精度良く脳波の測定をすることができない。
【０００９】
また、導電性ペーストを頭皮に塗布してから、頭部に脳波計を装着するために、脳波計を装着する際に、測定したいポイント以外の部分に導電性ペーストが付着してしまうことがある。さらに、導電性ペーストを塗布した位置に電極が接触するように、脳波計を装着することは困難である。
【００１０】
本発明は、上記課題を鑑みてなされたものであって、所望の位置に精度良く導電性ペーストを塗布することができる脳波計を提供する。
【課題を解決するための手段】
【００１１】
本発明の一態様に係る脳波計は、頭部に装着可能な脳波計であって、前記脳波計が前記頭部に装着された場合に、前記頭部に沿って左右の耳介に向けて延在する本体フレームと、脳波を検出するための電極を有する電極部であって、前記本体フレームに設けられる電極部と、前記電極に接触される導電性ペーストを前記電極に塗布する塗布部と、を備え、前記電極は、前記頭部と接触する状態及び非接触になる状態が変更できるように前記本体フレームに対して移動可能に前記電極部に設けられ、前記塗布部は、前記電極の移動に応じて、前記導電性ペーストを前記電極に塗布する。
【発明の効果】
【００１２】
本発明の脳波計によれば、所望の位置に精度良く導電性ペーストを塗布することができる。
【図面の簡単な説明】
【００１３】
【図１】図１は、実施の形態１に係る脳波計を含むリハビリテーションシステムの構成を示す構成図である。
【図２】図２は、電極を配置する場所を説明するための頭部の模式図である。
【図３】図３は、実施の形態１に係る脳波計の斜視図である。
【図４Ａ】図４Ａは、図３のＩＶ−ＩＶ線における、導電性ペーストを送出前の実施の形態１に係る電極部の断面図である。
【図４Ｂ】図４Ｂは、図３のＩＶ−ＩＶ線における、導電性ペーストを送出中の実施の形態１に係る電極部の断面図である。
【図４Ｃ】図４Ｃは、図３のＩＶ−ＩＶ線における、電極と頭部とが接触している実施の形態１に係る状態の電極部の断面図である。
【図５Ａ】図５Ａは、導電性ペーストを電極に塗布している状態を示す実施の形態２に係る電極部の断面図である。
【図５Ｂ】図５Ｂは、電極が回転中の実施の形態２に係る電極部の断面図である。
【図５Ｃ】図５Ｃは、電極と頭部とが接触している実施の形態２に係る状態の電極部の断面図である。
【図５Ｄ】図５Ｄは、実施の形態２に係る電極部が備える電極の回転動作を説明するための図である。
【図６Ａ】図６Ａは、導電性ペーストを送出前の実施の形態３に係る電極部の断面図である。
【図６Ｂ】図６Ｂは、導電性ペーストを送出中の実施の形態３に係る電極部の断面図である。
【図６Ｃ】図６Ｃは、電極と頭部とが接触している実施の形態３に係る状態の電極部の断面図である。
【図７Ａ】図７Ａは、導電性ペーストを送出前の実施の形態３の変形例に係る電極部の断面図である。
【図７Ｂ】図７Ｂは、導電性ペーストを送出中の実施の形態３の変形例に係る電極部の断面図である。
【図７Ｃ】図７Ｃは、電極と頭部とが接触している実施の形態３の変形例に係る状態の電極部の断面図である。
【発明を実施するための形態】
【００１４】
以下、実施の形態に係る脳波計について、図面を参照しながら説明する。なお、以下で説明する実施の形態は、いずれも包括的又は具体的な例を示すものである。以下の実施の形態で示される数値、形状、材料、構成要素、構成要素の配置位置及び接続形態等は、一例であり、本発明を限定する主旨ではない。また、以下の実施の形態における構成要素のうち、最上位概念を示す独立請求項に記載されていない構成要素については、任意の構成要素として説明される。
【００１５】
なお、各図は模式図であり、必ずしも厳密に図示されたものではない。また、各図において、実質的に同一の構成に対しては同一の符号を付しており、重複する説明は省略又は簡略化される場合がある。
【００１６】
また、本明細書において、Ｚ軸方向を鉛直方向とし、Ｚ軸の正方向を上方と定義する。また、各図におけるＸ軸及びＹ軸は、Ｚ軸に直交する方向である。また、Ｘ軸は、Ｙ軸と直交する方向である。また、本明細書においては、脳波計を装着する使用者から見て、Ｘ軸方向を左右方向とし、Ｙ軸方向を前後方向とし、Ｚ軸方向を上下方向として記載する場合がある。
【００１７】
なお、本明細書において、「略」とは、製造又は配置の際に生じる誤差を含むことを意味する。
【００１８】
（実施の形態１）
［リハビリテーションシステムの構成］
以下、図１及び図２を参照して、運動療法によるリハビリテーションの際に、脳波解析に基づいて、随意運動を補助するために用いられるリハビリテーションシステムについて説明する。
【００１９】
図１に示されるように、リハビリテーションシステム１は、脳波計１００、提示装置８０及び電動装具９０を備える。
【００２０】
脳波計１００は、使用者１０である患者の頭部に装着可能な脳波計であって、使用者１０の左右の耳介に向けて延在する本体フレームと、使用者１０の脳波を検出するための電極とを備え、ヘッドホン形状を有する。言い換えると、脳波計１００は、ヘッドセット型脳波計である。脳波計１００は、例えば、使用者１０の右半身の随意運動を支配する左運動野の脳波、又は、使用者１０の左半身の随意運動を支配する右運動野の脳波を検出する。また、使用者１０は、脳波計１００を装着した際に、リファレンス電極７０を左右の耳朶に装着する。脳波計１００は、検出した脳波を増幅して脳波信号として生成し、例えば無線により脳波信号を提示装置８０に出力する。
【００２１】
図２は、脳波計１００が使用者１０の頭部に装着された場合に、電極を配置する場所を説明するための頭部の模式図である。具体的には、図２は、国際１０−２０法による定められた電極の配置を説明するための使用者１０の頭部の模式図である。より具体的には、図２の（ａ）は、電極が配置される頭部の側面図であり、図２の（ｂ）は、電極が配置される頭部の正面図であり、図２の（ｃ）は、電極が配置される頭部の上面図である。
【００２２】
図２の（ａ）に示されるように、まず、鼻根から頭頂を経由して後頭結節に至る頭部表面の第一距離Ｄ１と、図２の（ｂ）に示されるように、左の耳介前点から頭頂を経由して右の耳介前点に至る頭部表面の第二距離Ｄ２（耳珠間頭頂弧長）とが計測される。次に、第一距離Ｄ１の中点及び第二距離Ｄ２の中点から正中中心部Ｃｚが決められる。次に、鼻根から後頭結節との間、及び、左右の耳介前点の間のそれぞれの全体を「１００％」として、図２の（ａ）〜（ｃ）に示されるように、所定の割合に分割した位置が電極の配置位置として決められる。例えば、左運動野と対応できる電極の位置の一例として、国際１０−２０法では、図２の（ｃ）に示す中心部Ｃ４の位置を挙げることができる。つまり、左運動野の脳波を計測したい場合には、電極を図２の（ｃ）に示す中心部Ｃ４の位置にあてて脳波は計測される。また、例えば、右運動野と対応できる電極の位置の一例として、国際１０−２０法では、図２の（ｃ）に示す中心部Ｃ３の位置を挙げることができる。つまり、右運動野の脳波を計測したい場合には、電極を図２の（ｃ）に示す中心部Ｃ３の位置にあてて脳波は計測される。
【００２３】
提示装置８０は、使用者１０に脳波計１００で計測された脳波信号を使用者１０に提示する装置である。提示装置８０は、スピーカ８１、画像表示部８２、操作部８３及び制御装置８４を備える。
【００２４】
スピーカ８１は、制御装置８４から入力される音響信号に基づいて、使用者１０に音又は音声を提示する音発生器である。スピーカ８１は、アンプ等によって実現される。
【００２５】
画像表示部８２は、制御装置８４から与えられる制御信号に基づいて、使用者１０に視覚情報を提示する。画像表示部８２は、例えば、ディスプレイである。ここで、使用者１０に提示される情報は、使用者１０がどのようなイメージをすれば良いかの指示に関する指示情報と、使用者１０が指示通りにイメージできているかのフィードバック情報とを含む。
【００２６】
操作部８３は、例えば、マウス、タッチパネル等として構成される。リハビリテーションの補助者１１である例えば作業療法士は、操作部８３を介して使用者１０に関する各種情報を制御装置８４に登録する。また、例えば、補助者１１は、制御装置８４に対する訓練の開始又は停止の指示を入力する。操作部８３がタッチパネルとして構成される場合には、画像表示部８２に一体化することもできる。
【００２７】
制御装置８４は、脳波計１００から取得した脳波信号に応じて、スピーカ８１、画像表示部８２を制御するコンピュータである。制御装置８４は、ＣＰＵ（Ｃｅｎｔｒａｌ  Ｐｒｏｃｅｓｓｉｎｇ  Ｕｎｉｔ）、とＣＰＵが実行する制御プログラムが格納されたＨＤＤ（Ｈａｒｄ  Ｄｉｓｋ  Ｄｒｉｖｅ）等のメモリによって実現される。
【００２８】
電動装具９０は、使用者１０の腕及び手等を他動的に運動させる装置である。電動装具９０は、装具９１と、電動モータ９２と、筋刺激電極９３とを備える。
【００２９】
装具９１は、使用者１０の指及び腕に装着される装着器具である。装具９１は、図示しないワイヤにより電動モータ９２と接続されている。
【００３０】
電動モータ９２は、装具９１の肘付近に取り付けられているモータである。電動モータ９２の出力軸と装具９１とは、図示しないワイヤにより接続されている。このため、電動モータ９２が動作することにより、装具９１の一部又は全部がワイヤにより引っ張られることで、使用者１０の指、手首、腕等が他動的に運動させられる。
【００３１】
筋刺激電極９３は、使用者１０の前腕部に筋刺激を与えるための電極である。筋刺激電極９３は、例えばＥＲＤ（Ｅｖｅｎｔ−Ｒｅｌａｔｅｄ  Ｄｅｓｙｎｃｈｒｏｎｉｚａｔｉｏｎ：事象関連脱同期）検出のタイミングに基づいて制御される制御装置８４による筋刺激電極９３間の電流制御によって使用者１０の前腕部に電気的な刺激を与える。この電気的な刺激が使用者１０の前腕部の筋刺激となる。筋刺激電極９３による筋刺激及び電動モータ９２の制御にともなう装具９１による使用者１０の指及び腕等の他動的な運動は、使用者１０の体性感覚へのフィードバックとなる。
【００３２】
リハビリテーションの訓練は、操作部８３からの開始指示によって開始される。リハビリテーションの補助者１１又は使用者１０自身の操作により、操作部８３から開始指示が制御装置８４に入力され、一連の訓練のプロセスが実行される。
【００３３】
訓練のプロセスは、一例として、リラックスして特定の思考を想起しないことが求められる安定期間と、運動意図を表出することが求められる運動イメージ期間とを交互に繰り返す。例えば、リハビリテーションシステム１は、さらにペグ９４を備えてもよい。
【００３４】
使用者１０は、運動イメージ期間において、例えば掴んだペグ９４を離す動作を繰り返す。制御装置８４は、訓練のプロセスが実行される場合に、安定期間のときには「リラックスしてください」等のメッセージ、及び、運動イメージ期間のときには「イメージしてください」等のメッセージを画像表示部８２に表示させる。また、制御装置８４は、安定期間の開始時及び運動イメージ期間の開始時にスピーカ８１に報知音を提示させる。使用者１０は、スピーカ８１からの報知音、及び、画像表示部８２の表示内容の少なくとも一方から安定期間から運動イメージ期間に移行した旨を認識し、運動意図の表出を行う。
【００３５】
［脳波計の構成］
次に、図３を参照して、脳波計１００の構成の詳細について説明する。
【００３６】
図３は、実施の形態１に係る脳波計１００の斜視図である。
【００３７】
図３に示されるように、脳波計１００は、本体フレーム２０と、電極部３０と、計測部４０と、接触部６１と、リファレンス電極７０とを備える。
【００３８】
本体フレーム２０は、使用者１０の頭部に装着された場合に、頭頂から左右の耳介のそれぞれに向けて延びる正面視において半円形状となる帯状のフレームである。つまり、本体フレーム２０は、脳波計１００が使用者１０の頭部に装着された場合に、頭部に沿って左右の耳介に向けて延在する帯状のフレームである。脳波計１００は、本体フレームの２０長尺方向の両端側に電極部３０を備えてもよいが、本実施の形態においては、軽量化、簡易装着等の観点から、片側の運動野のみの脳波を計測できるように、片側のみに脳波を計測するための電極部３０を備える。本体フレーム２０の材料は、特に限定されないが、例えば、樹脂材料が採用される。
【００３９】
また、本体フレーム２０には、本体フレーム２０の短手方向の略中央に、本体フレーム２０の厚み方向に貫通する開口２１が形成されている。また、開口２１は、本体フレーム２０の長手方向に延在して本体フレーム２０に形成されている。開口２１には、電極部３０が有する電極（電極対）３４（具体的には、第一電極３４ａ及び第二電極３４ｂ）が移動可能に位置する。
【００４０】
電極部３０は、脳波を検出するための１又は複数の電極を有し、使用者１０の脳波を検出する電極を有する装置である。電極部３０は、使用者１０が脳波計１００を頭部に装着したときに、使用者１０の運動意図に関連する脳波を計測しやすい位置に配置されている。電極部３０は、例えば、使用者１０の右半身の随意運動を支配する左運動野、又は、使用者１０の左半身の随意運動を支配する右運動野と対応できる位置に配置される。また、電極部３０は、本体フレーム２０の長手方向に移動可能に本体フレーム２０に支持される。電極部３０は、取付部３１と、調整つまみ３２と、電極ケース３３と、電極３４と、アンプ３５とを備える。
【００４１】
取付部３１は、本体フレーム２０を本体フレーム２０の厚み方向（例えば、図４Ａに示すＺ１軸方向）から挟むように形成される。また、取付部３１は、前後方向（Ｙ軸方向）において本体フレーム２０を覆うように本体フレーム２０に取り付けられている。また、取付部３１は、本体フレーム２０に対して移動可能に取り付けられる。つまり、電極部３０は、取付部３１によって本体フレーム２０に対して移動可能に取り付けられている。
【００４２】
調整つまみ３２は、本体フレーム２０に対して取付部３１が移動可能な状態と、本体フレーム２０に対して取付部３１が移動不能な状態とに切り替えるためのつまみである。調整つまみ３２は、例えば、ねじである。調整つまみ３２は、例えば使用者１０に調整されることで、本体フレーム２０の上部に接触する（例えば、図４Ａ参照）。これにより、調整つまみ３２は、本体フレーム２０に対して電極部３０を係止する。
【００４３】
電極ケース３３は、取付部３１の上部側に配置され、アンプ３５（例えば、図４Ａ参照）を収容するケースである。電極ケース３３は、第一電極ケース３３ａと、第二電極ケース３３ｂとを備える。
【００４４】
第一電極ケース３３ａには、第一電極３４ａ及び第二電極３４ｂで構成された電極３４が挿入されている。また、本体フレーム２０が使用者１０に装着された場合における、第一電極ケース３３ａの頭部（使用者１０）側には、電極３４が移動可能な開口２１が形成されている。
【００４５】
取付部３１、調整つまみ３２及び電極ケース３３の材料は、特に限定されるものではないが、例えば樹脂材料が採用される。
【００４６】
電極３４は、脳波を検出するための電極である。電極３４は、使用者１０の頭部と接触する状態及び非接触になる状態が変更できるように、本体フレーム２０に対して移動可能に電極部３０に設けられている。電極３４は、例えば銀塩化銀電極である。電極３４は、第一電極ケース３３ａに対して第二電極ケース３３ｂと一体的に移動可能である。第一電極３４ａ及び第二電極３４ｂは、第一電極ケース３３ａの長手方向に並べて配置されている。例えば、第一電極３４ａは中心部Ｃ３の脳波を検出するためのものである。その場合に、第二電極３４ｂは、中心部Ｃ３の周囲の脳波を検出するためのものである。例えば、計測部４０は、中心部Ｃ３の周囲に配置された第二電極３４ｂで検出された脳波を用いて、中心部Ｃ３に配置された第一電極３４ａで検出された脳波のノイズを除去する。
【００４７】
また、第一電極３４ａ及び第二電極３４ｂは、本体フレーム２０の短手方向の、略中央に配置される。
【００４８】
なお、脳波計１００が備える脳波を検出するための電極（例えば、第一電極３４ａ）は、１又は複数でよく、電極の数は特に限定されない。例えば、脳波計１００は、第一電極３４ａを１つ有し、第二電極３４ｂを有さなくてもよい。
【００４９】
また、電極３４（具体的には、第一電極３４ａ及び第二電極３４ｂ）は、皿電極で構成されている。こうすることで、電極３４が使用者１０に接触する面積が大きくなり、脳波の測定精度が向上する。
【００５０】
アンプ３５は、電極３４で検出された脳波に応じた信号を増幅するための増幅器である。具体的には、アンプ３５は、電極３４で検出された脳波に応じた電位を増幅する。アンプ３５は、脳波計１００が頭部に装着された場合に、頭部側とは反対側の取付部３１に配置される。また、電極３４とアンプ３５とは、金属リード線（不図示）等によって電気的に接続される。
【００５１】
また、電極部３０は、孔１１０を備える。電極３４が使用者１０の頭部と接触する際には、電極３４と頭部との電気抵抗を低減する目的で、導電性ペーストが塗布される場合がある。脳波計１００は、電極３４の移動に応じて、導電性ペーストを電極３４に塗布する構造を有する。孔１１０は、電極部３０が備える導電性ペーストを蓄える容器１０１（例えば、図４Ａ参照）に導電性ペーストを注入するための孔である。導電性ペーストを電極３４に塗布するための構造については、後述する。
【００５２】
計測部４０は、電極部３０で検出された使用者１０の脳波を計測するための信号処理をする処理部である。具体的には、計測部４０は、電極部３０の電位とリファレンス電極７０の基準電位との電位差を脳波信号として生成し、提示装置８０（図１参照）に脳波信号を出力する装置である。また、計測部４０は、本体フレーム２０の長手方向における、電極部３０が取り付けられる一方の端部と反対側の他方の端部側に設けられる。また、計測部４０は、本体フレーム２０の長手方向に移動可能に本体フレーム２０に支持される。計測部４０は、計測部取付部４１と、調整つまみ４２と、電源ケース４３と、回路部４４と、電源部４５とを備える。
【００５３】
計測部取付部４１は、前後方向（Ｙ軸方向）において本体フレーム２０を跨ぐように本体フレーム２０に取り付けられている。また、計測部取付部４１は、本体フレーム２０に対して移動可能に取り付けられる。つまり、計測部４０は、計測部取付部４１によって本体フレーム２０に対して移動可能に取り付けられている。
【００５４】
調整つまみ４２は、本体フレーム２０に対して計測部取付部４１が移動可能な状態と、本体フレーム２０に対して計測部取付部４１が移動不能な状態とに切り替えるためのつまみである。調整つまみ４２は、例えばねじである。
【００５５】
電源ケース４３は、計測部取付部４１の上部側に配置され、回路部４４及び電源部４５を収容するケースである。
【００５６】
計測部取付部４１、調整つまみ４２及び電源ケース４３の材料は、特に限定されるものではないが、例えば樹脂材料が採用される。
【００５７】
回路部４４は、電極部３０から取得した脳波から脳波信号を生成し、提示装置８０（図１参照）に出力する回路である。また、回路部４４は、電極部３０の電極３４が計測した電位とリファレンス電極７０の基準電位との電位差を増幅する差動増幅回路を有する。また、回路部４４は、提示装置８０に脳波信号を無線で送信する通信回路を有する。
【００５８】
電源部４５は、回路部４４に電力を供給する電源である。電源部４５は、例えば、電池である。
【００５９】
接触部６１は、脳波計１００が使用者１０に装着される際に、頭部のこめかみに接触し、頭部に対して本体フレーム２０の位置ずれを抑制する部分である。接触部６１は、前後方向（Ｙ軸方向）に延在し、使用者１０のこめかみに接触可能なクッション６１ａと、前後方向に延在し、クッション６１ａを保持する保持部６１ｂとを備える。また、保持部６１ｂの前後方向の両端部分には、滑り止め部６１ｃが形成されている。滑り止め部６１ｃは、前後方向に突出する３本の突部からなり、接触部６１の位置調整のために補助者１１又は使用者１０が接触部６１を把持したときの指が滑ることを抑制する。接触部６１の材料は、特に限定されないが、例えば、樹脂材料が採用される。
【００６０】
リファレンス電極７０は、基準電位を検出する電極である。リファレンス電極７０は、例えば、本体フレーム２０の長手方向の両方側の端部に設けられる。基準電位は、例えば、図１にされるように、リファレンス電極７０を使用者１０に接触されることで検出される。なお、リファレンス電極７０は、本体フレーム２０の長手方向の一方側の端部に取り付けられてもよい。リファレンス電極７０が本体フレーム２０の長手方向の両端部に取り付けられた場合、各リファレンス電極７０の電位の平均を基準電位としてもよい。
【００６１】
また、計測部４０、電極部３０及びリファレンス電極７０は、図示されていない金属リード線により電気的に接続されている。リード線は、本体フレーム２０内に収容されている。
【００６２】
［導電性ペーストの塗布構造］
続いて、電極部３０が導電性ペーストを電極３４に塗布する構造について説明する。
【００６３】
図４Ａ、図４Ｂ及び図４Ｃは、図３のＩＶ−ＩＶ線における電極部３０の断面図である。具体的には、図４Ａは、図３のＩＶ−ＩＶ線における、導電性ペーストを電極３４に塗布する前の実施の形態１に係る電極部３０の断面図である。図４Ｂは、図３のＩＶ−ＩＶ線における、導電性ペーストを送出中の実施の形態１に係る電極部３０の断面図である。図４Ｃは、図３のＩＶ−ＩＶ線における、電極３４と頭部とが接触している状態の実施の形態１に係る電極部３０の断面図である。
【００６４】
なお、図４Ａ〜図４Ｃにおいて、Ｚ１軸方向を本体フレーム２０の法線方向（厚み方向）として定義する。また、Ｘ１軸及びＹ１軸は、Ｚ１軸に直交する方向である。また、Ｘ１軸は、Ｙ１軸と直交する方向である。また、図４Ａ〜図４Ｃは、使用者１０は脳波計１００を頭部に装着している状態を示す図である。
【００６５】
図４Ａに示されるように、電極部３０は、塗布部１５０を備える。
【００６６】
塗布部１５０は、電極３４に接触される導電性ペーストＰを電極３４に塗布する。具体的には、塗布部１５０は、電極３４の移動に応じて、導電性ペーストＰを電極３４に塗布する。実施の形態１においては、塗布部１５０は、孔１１０から注入される導電性ペーストＰを保持し、電極３４の動きに連動して使用者１０の頭部に当該導電性ペーストを送出する。塗布部１５０は、例えば、導電性ペーストＰが蓄えられるシリンジからなる。シリンジは、電極３４の使用者１０の頭部に接触する方向への移動に連動して、電極３４と頭部との間に導電性ペーストＰを送出することにより、導電性ペーストＰを電極３４に塗布する。具体的には、シリンジからなる塗布部１５０は、容器１０１と、押出部１２０と、排出部１３０と、弁１４０とを備える。
【００６７】
容器１０１は、導電性ペーストＰを蓄えるための容器である。使用者１０、補助者１１等は、予め孔１１０から導電性ペーストＰを容器１０１内に注入しておく。
【００６８】
押出部１２０は、電極３４の動きに連動して、容器１０１内の導電性ペーストＰを排出部１３０から送出させる。
【００６９】
弁１４０は、容器１０１内の導電性ペーストＰを排出部１３０から送出させる際に開放する弁である。弁１４０は、導電性ペーストＰが押出部１２０によって圧力がかけられた際に、所定以上の圧力が加わった場合にのみ開放するような弁でもよいし、電極３４、押出部１２０等の動きに連動して開放する電磁弁でもよい。その場合、例えば、計測部４０と電気的に接続される電極３４の動きを検知するセンサを備えてもよい。計測部４０は、当該センサが電極３４の使用者１０の頭部の方向への動きを検知した場合に、電気的に接続される電磁弁である弁１４０を開放するように制御してもよい。
【００７０】
なお、本実施の形態では、塗布部（シリンジ）１５０を構成する容器１０１、押出部１２０、排出部１３０及び弁１４０は、電極部３０の内部に位置しているが、一部又は全部が電極部３０の外部に位置していてもよく、各構成要素の配置は特に限定されない。
【００７１】
また、第一電極ケース３３ａと第二電極ケース３３ｂとにより形成された内部空間には、ばね材５０が収容されている。ばね材５０の一端は電極３４と取り付けられている支持部３６に取り付けられ、他端は第二電極ケース３３ｂに取り付けられている。
【００７２】
支持部３６は、電極３４をばね材５０に取付けるための部品である。
【００７３】
また、支持部３６と電極３４との間には、電極３４を使用者１０の頭部へ押し付ける押圧部２００を備えてもよい。
【００７４】
押圧部２００は、電極３４を使用者１０の頭部に押し付けるための弾性体である。具体的には、押圧部２００は、図４Ｃに示される白抜き矢印の方向に、電極３４を付勢する。電極３４は、弾性体等が採用されるが、構造の簡便性の観点から、ばねが採用されるとよい。
【００７５】
電極３４は、図４Ａに示される白抜矢印の方向に第二電極ケース３３ｂを第一電極ケース３３ａに対して移動させることにより、図４Ｂに示されるように使用者１０の頭部側に移動する。
【００７６】
次に、図４Ｂに示される白抜き矢印の方向へ第二電極ケース３３ｂを移動させることにより、図４Ｃに示されるように、電極３４が使用者１０側へ移動し、電極３４と使用者１０の頭部とが接触する。
【００７７】
また、図４Ｂに示されるように、電極３４が使用者１０の頭部へ近づくにつれて、押出部１２０が容器１０１内の導電性ペーストＰと接触する。押出部１２０は、排出部１３０から容器１０１内の導電性ペーストＰを押し出す。導電性ペーストＰは、使用者１０の頭部に送出される。なお、押出部１２０は、自重により容器１０１内の導電性ペーストＰを排出部１３０から押し出すように構成されてもよいし、支持部３６に取付けられ、電極３４の動きに連動して容器１０１内の導電性ペーストＰを排出部１３０から押し出すように構成されてもよい。また、押出部１２０と支持部３６とは、一体的に構成されていてもよいし、図４Ａ〜図４Ｃに示されるように別体として構成されてもよい。また、押出部１２０と支持部３６とは、例えば、磁石で構成され、磁力により着脱可能に接触していてもよい。
【００７８】
図４Ｃに示されるように、使用者１０の頭部と電極３４との間に導電性ペーストＰが塗布されることとなり、結果として電極３４に導電性ペーストＰが塗布される。
【００７９】
また、電極部３０は、図４Ｂに示される白向き矢印の逆方向に第二電極ケース３３ｂを移動させ、図４Ａに示される白抜き矢印の逆方向に動かすことで、図４Ａに示される状態に戻る。このような構成とすることで、使用者１０、補助者１１等が孔１１０から導電性ペーストＰを容器１０１内に注入することで、繰り返し脳波計１００は導電性ペーストＰを使用者１０に塗布した状態で使用され得る。
【００８０】
なお、本実施の形態においては、導電性ペーストＰは、使用者１０の頭部に送出されてもよいし、電極３４の使用者１０の頭部に接触する部分に送出されるように排出部１３０が構成されてもよい。
【００８１】
［効果等］
以上、実施の形態１に係る脳波計１００は、使用者１０の頭部に装着可能な脳波計であって、本体フレーム２０と、本体フレーム２０に設けられる電極部３０と、塗布部１５０とを備える。本体フレーム２０は、脳波計１００が頭部に装着された場合に、頭部に沿って左右の耳介に向けて延在する。電極部３０は、脳波を検出するための電極３４を有する。塗布部１５０は、電極３４に接触される導電性ペーストＰを電極３４に塗布する。電極３４は、頭部と接触する状態及び非接触になる状態が変更できるように本体フレーム２０に対して移動可能に電極部３０に設けられている。塗布部１５０は、電極３４の移動に応じて、導電性ペーストＰを電極３４に塗布する。
【００８２】
これにより、導電性ペーストＰは、塗布部１５０が導電性ペーストＰを排出する排出部１３０の排出口の位置に応じた所望の位置に排出される。そのため、脳波計１００の構成によれば、所望の位置に精度良く導電性ペーストＰを塗布することができる。
【００８３】
例えば、塗布部１５０は、導電性ペーストＰが蓄えられる容器１０１を有するシリンジでもよい。塗布部（シリンジ）１５０は、電極３４の頭部に接触する方向への移動に連動して、電極３４と頭部との間に導電性ペーストＰを送出することにより、導電性ペーストＰを電極３４に塗布してもよい。
【００８４】
こうすることで、簡便な構成で、塗布部１５０は、導電性ペーストＰを容器１０１内に蓄え、且つ、電極３４の動きに連動して、導電性ペーストＰを排出することができる。そのため、脳波計１００の構成によれば、所望の位置に精度良く導電性ペーストＰを塗布することができる。
【００８５】
また、脳波計１００は、さらに、電極３４を頭部側へ付勢する押圧部２００を備えてもよい。
【００８６】
これにより、電極３４と使用者１０の頭部とを、精度良く密着させることができる。そのため、このような構成によれば、精度良く使用者１０の脳波を計測することができる。
【００８７】
また、このような構成によれば、押圧部２００によって一定の圧力で電極３４が使用者１０の頭部に押し付けられやすくなるために、電極３４と頭部との間のインピーダンスが安定しやすい。そのために、このような構成によれば、精度良く使用者１０の脳波を計測することができる。
【００８８】
例えば、押圧部２００は、ばねでもよい。
【００８９】
これにより、簡便な構成で、電極３４と使用者１０の頭部とを密着させることができる。
【００９０】
また、電極３４は、皿電極でもよい。
【００９１】
こうすることで、電極３４と使用者１０との接触面積を大きくすることができる。そのため、このような構成によれば、精度良く使用者１０の脳波を計測することができる。
【００９２】
（実施の形態２）
上述したように、実施の形態１に係る脳波計１００の電極部３０は、シリンジである塗布部１５０を備え、導電性ペーストＰを使用者１０の頭部に送出した。実施の形態２では、塗布部は、電極に導電性ペーストを直接塗布する。
【００９３】
［導電性ペーストの送出構造］
以下、図５Ａ〜図５Ｄを参照して、実施の形態２に係る脳波計における電極部の構成の詳細について説明する。なお、実施の形態２に係る脳波計は、実施の形態１に係る脳波計と電極部の構成のみが異なる。そのため、実施の形態２では、電極部の構成について説明する。また、実施の形態２においては、実施の形態１と実質的に同様の構成については、同様の符号を付し、説明を一部省略する場合がある。
【００９４】
図５Ａ、図５Ｂ及び図５Ｃは、は、図３のＩＶ−ＩＶ線に対応する位置における電極部の断面図である。具体的には、図５Ａは、図３のＩＶ−ＩＶ線に対応する位置における、導電性ペーストＰを電極に塗布している状態を示す実施の形態２に係る電極部の断面図である。図５Ｂは、図３のＩＶ−ＩＶ線に対応する位置における、電極が回転中の実施の形態２に係る電極部の断面図である。図５Ｃは、図３のＩＶ−ＩＶ線における、電極と頭部とが接触している状態を示す実施の形態２に係る状態の電極部３０の断面図である。
【００９５】
図５Ｄは、実施の形態２に係る電極部が備える電極の回転動作を説明するための図である。図５Ｄにおいては、説明のために支持部と電極とを図示している。また、図５の（ａ）は、図５Ａに対応する図であり、図５の（ｂ）は、図５Ｂに対応する図であり、図５の（ｃ）は、図５Ｃに対応する図である。なお、図５Ａ〜図５Ｄにおいて、Ｚ１軸方向を本体フレーム２０の法線方向（厚み方向）として定義する。また、Ｘ１軸及びＹ１軸は、Ｚ１軸に直交する方向である。また、Ｘ１軸は、Ｙ１軸と直交する方向である。また、図５Ａ〜図５Ｄは、使用者１０は脳波計１００を頭部に装着している状態を示す図である。
【００９６】
図５Ａに示されるように、塗布部１５０ａは、容器１０１ａと、開口部１６０とを備える。
【００９７】
容器１０１ａは、導電性ペーストＰを蓄えられる容器である。また、実施の形態２においては、容器１０１ａは、支持部３６ａに内包されている。容器１０１ａのＺ軸負方向側には、電極３８の回動によって開閉する開口部１６０が形成されている。
【００９８】
支持部３６ａは、実施の形態１の支持部３６と同様に、ばね材５０に電極（電極対）３８を取り付けるための取付け部材である。支持部３６ａのＺ１軸負方向側の一部又は全部は開閉自在となっており、図５Ａに示される位置に電極３８が配置されている場合には、電極３８によって閉じられている。
【００９９】
また、電極３８は、軸３９を介して支持部３６ａのＺ１軸負方向側に取り付けられている。電極３８は、電極３４と同様に、例えば銀塩化銀電極であり、第一電極ケース３３ａに対して第二電極ケース３３ｂと一体的に移動可能である。電極３８もまた第一電極及び第二電極を備え、第一電極及び第二電極は、第一電極ケース３３ａの長手方向に並べて配置されている。また、電極３８（具体的には、電極３８が備える第一電極及び第二電極）は、皿電極で構成されている。
【０１００】
軸３９は、支持部３６ａに軸支されており、電極３８が取り付けられている。軸３９は、電極３８の動きに連動して回動する。図５Ｂ及び図５Ｄの（ｂ）に示されるように、電極３８は、Ｚ１軸負方向側への動きに連動して、軸３９を軸に回動する。具体的には、図５Ｃ及び図５Ｄの（ｃ）に示されるように、電極３８は、Ｚ１軸負方向側への動きに連動して軸３９を軸として回動し、容器１０１ａ内の導電性ペーストＰが接触面３８ａに塗布され、接触面３８ａが使用者１０の頭部と接触する。塗布部１５０ａは、例えば、軸３９を回動させるためのばねを有する図示しない回動部を備える。当該回動部は、電極３８が頭部に近づく方向に移動した場合に、例えば支持部３６ａの内部に位置し電極３８の頭部に近づく方向への移動と連動して電極３８を軸支する軸３９を回動させることで、電極３８を回動させる。
【０１０１】
このように、実施の形態２に係る脳波計の電極部３０ａが備える電極３８は、図５Ｂ及び図５Ｄの（ｂ）に示されるように、軸３９を軸に回動しながら、使用者１０の頭部に近づく。具体的には、電極３８は、使用者１０の頭部に接触する方向への移動に連動して、容器１０１ａ内の導電性ペーストＰと電極３８の接触面３８ａとが接触して、導電性ペーストが接触面３８ａに塗布される。また、電極３８は、導電性ペーストＰが塗布された接触面３８ａが頭部と対向するように回転する。
【０１０２】
次に、図５Ｃ及び図５Ｄの（ｃ）に示されるように、電極３８は、導電性ペーストＰが塗布された接触面３８ａで使用者１０の頭部と接触する。
【０１０３】
なお、図５Ｃ及び図５Ｄの（ｃ）に示される容器１０１ａ内には、導電性ペーストＰが残存している。容器１０１ａ内の導電性ペーストＰの量は、図５Ｃ及び図５Ｄの（ｃ）に示される電極部３０ａの状態において、容器１０１ａ内に残存されないように予め調整されていてもよいし、されていなくてもよい。
【０１０４】
［効果等］
以上、実施の形態２に係る脳波計の塗布部１５０ａは、導電性ペーストＰが蓄えられる容器１０１ａを備える。電極３８は、頭部に接触する方向への移動に連動して、容器１０１ａ内の導電性ペーストＰと電極３８の接触面３８ａとが接触して、導電性ペーストＰが接触面３８ａに塗布され、導電性ペーストＰが塗布された接触面３８ａが頭部と対向するように回転する。
【０１０５】
これにより、使用者１０の頭部と接触する電極３４の接触面３８ａに導電性ペーストＰを簡便に塗布することができる。そのため、このような構成によれば、簡便な構成で所望の位置に導電性ペーストＰを塗布することができる。
【０１０６】
（実施の形態３）
上述したように、実施の形態１及び実施の形態２に係る脳波計によれば、導電性ペーストＰを電極に塗布する塗布部を備えることにより、簡便な構成で、所望の位置に導電性ペーストＰを電極に塗布することができる。実施の形態３に係る脳波計においても、実施の形態１に係る脳波計と同様の導電性ペーストＰを電極に塗布する塗布部１５０を有する。また、実施の形態３に係る脳波計は、実施の形態１に係る脳波計に、さらに、使用者１０の頭髪を掻き分ける櫛部を備える。
【０１０７】
［髪の掻き分け構造］
以下、図６Ａ〜図６Ｃを参照して、実施の形態３に係る脳波計における電極部の構成について説明する。なお、実施の形態３に係る脳波計は、実施の形態１に係る脳波計と電極部の構成のみが異なる。そのため、実施の形態３では、実施の形態３に係る電極部の構成について説明する。また、実施の形態３においては、実施の形態１と実質的に同様の構成については、同様の符号を付し、説明を一部省略する場合がある。
【０１０８】
図６Ａ、図６Ｂ及び図６Ｃは、は、図３のＩＶ−ＩＶ線に対応する位置における電極部の断面図である。具体的には、図６Ａは、図３のＩＶ−ＩＶ線に対応する位置における、導電性ペーストＰを送出前の実施の形態３に係る電極部の断面図である。図６Ｂは、図３のＩＶ−ＩＶ線に対応する位置における、実施の形態３に係る電極部の断面図である。図６Ｃは、図３のＩＶ−ＩＶ線における、電極と頭部とが接触している実施の形態３に係る状態の電極部の断面図である。なお、図６Ａ〜図６Ｃにおいて、Ｚ１軸方向を本体フレーム２０の法線方向（厚み方向）として定義する。また、Ｘ１軸及びＹ１軸は、Ｚ１軸に直交する方向である。また、Ｘ１軸は、Ｙ１軸と直交する方向であるとする。また、図６Ａ〜図６Ｃは、使用者１０は脳波計１００を頭部に装着している状態を示す図である。また、図６Ａ〜図６Ｃにおいては、塗布部による導電性ペーストＰの送出に関しては、実施の形態１と実質的に同様の構成のため、導電性ペーストＰの記載を省略している。
【０１０９】
図６Ａに示されるように、実施の形態３に係る脳波計の電極部３０ｂは、櫛部３００を備える。
【０１１０】
櫛部３００は、使用者１０の頭髪Ｈを掻き分けるための櫛である。具体的には、櫛部３００は、電極３４が使用者１０の頭部に接触する位置の頭髪Ｈを掻き分ける。より具体的には、櫛部３００は、電極３４の使用者１０の頭部に接触する方向への移動に連動して、電極３４から離れる方向に頭髪Ｈを掻き分ける。櫛部３００は、櫛歯部３１０と筒部３２０とを備える。
【０１１１】
櫛歯部３１０は、使用者１０の頭髪Ｈを掻き分ける複数の櫛歯を有する櫛である。櫛歯の数は特に限定されるものではないが、図６Ａ〜図６Ｃには、４本の櫛歯を図示している。櫛歯部３１０は、図６Ａに示される状態では、筒部３２０に内包されている。櫛歯部３１０は、図６Ｂに示されるように、使用者１０の頭部に接触する方向への移動に連動して、櫛歯部３１０における頭部側の先端部が、筒部３２０から突出して電極３４から離れる方向へ変形される。具体的には、櫛歯部３１０のそれぞれの櫛歯は、Ｚ１軸負方向側へ移動されるにつれて、Ｚ１軸負方向側に位置する先端部が、電極３４から離れる方向に広がるように形成されている。櫛歯部３１０のそれぞれの櫛歯の先端部とは反対側の他端は、支持部３６に取り付けられている。櫛歯部３１０は、例えば、樹脂によって形成される。
【０１１２】
筒部３２０は、櫛歯部３１０を内包する筒体である。筒部３２０は、電極３４が移動可能な方向に平行な方向に延在して形成されている。筒部３２０は、例えば、樹脂によって形成されている。
【０１１３】
図６Ａに示されるように、櫛歯部３１０のそれぞれの櫛歯の先端部は、筒部３２０に内包されている。
【０１１４】
図６Ｂに示されるように、櫛歯部３１０のそれぞれの櫛歯の先端部は、電極３４のＺ１軸負方向側への移動に連動して、先端部が電極３４から離れるように、Ｚ１軸負方向側へ移動される。この際に、櫛歯部３１０は、使用者１０の頭髪Ｈを掻き分ける。
【０１１５】
図６Ｃに示されるように、櫛歯部３１０が使用者１０の頭髪Ｈを掻き分けることにより、電極３４は、使用者１０の頭皮に直接接触しやすくなる。
【０１１６】
［効果等］
以上、実施の形態３に係る脳波計の電極部３０ｂは、実施の形態１又は実施の形態２に係る電極部の構成に加えて、さらに、電極３４の頭部に接触する方向への移動に連動して、電極３４から離れる方向に頭髪Ｈを掻き分ける櫛部３００を備える。
【０１１７】
これにより、櫛部３００によって、電極３４が使用者１０に接触する位置の頭髪Ｈが掻き分けられ、電極３４が使用者１０の頭皮に直接接触しやすくなる。そのため、このような構成によれば、電極３４が使用者１０の頭皮に直接接触しやすくなるため、精度良く脳波を測定することができる。
【０１１８】
例えば、櫛部３００は、電極３４が移動可能な方向に平行な方向に延在する筒部３２０と、筒部３２０に内包される櫛歯部３１０とを備えてもよい。櫛歯部３１０は、電極３４の頭部に接触する方向への移動に連動して、櫛歯部３１０における頭部側の端部が、筒部３２０から突出して電極３４から離れる方向へ変形されてもよい。
【０１１９】
このような構成によれば、簡便な構成で、使用者１０の頭髪Ｈを掻き分ける構造が実現される。
【０１２０】
（実施の形態３の変形例）
上述したように、実施の形態３に係る脳波計の櫛部３００は、複数の櫛歯を備える櫛歯部３１０を備える。しかしながら、櫛部３００は、使用者１０の頭髪Ｈを掻き分ける構造であればよく、櫛部３００の構造に限定されるものではない。
【０１２１】
［髪の掻き分け構造］
図７Ａ、図７Ｂ及び図７Ｃは、図３のＩＶ−ＩＶ線に対応する位置における電極部の断面図である。具体的には、図７Ａは、図３のＩＶ−ＩＶ線に対応する位置における、導電性ペーストＰを送出前の実施の形態３の変形例に係る電極部の断面図である。図７Ｂは、図３のＩＶ−ＩＶ線に対応する位置における、実施の形態３の変形例に係る電極部の断面図である。図７Ｃは、図３のＩＶ−ＩＶ線における、電極と頭部とが接触している実施の形態３の変形例に係る状態の電極部の断面図である。なお、図７Ａ〜図７Ｃにおいて、Ｚ１軸方向を本体フレーム２０の法線方向（厚み方向）として定義する。また、Ｘ１軸及びＹ１軸は、Ｚ１軸に直交する方向である。また、Ｘ１軸は、Ｙ１軸と直交する方向である。また、図７Ａ〜図７Ｃは、使用者１０は脳波計１００を頭部に装着している状態を示す図である。図７Ａ〜図７Ｃにおいては、導電性ペーストＰの送出に関しては、実施の形態１と実質的に同様のため、導電性ペーストＰの記載を省略している。
【０１２２】
図７Ａに示されるように、実施の形態３の変形例に係る脳波計の電極部３０ｃは、櫛部３００ａを備える。
【０１２３】
櫛部３００ａは、使用者１０の頭髪Ｈを掻き分けるための櫛である。具体的には、櫛部３００ａは、電極３４が使用者１０の頭部に接触する位置の頭髪Ｈを掻き分ける。櫛部３００ａは、板体３３０と可動部３３１とを備える。
【０１２４】
板体３３０は、使用者１０の頭髪Ｈを掻き分ける板である。板体３３０は、本体フレーム２０の長尺方向に所定の幅を有するように形成されている。板体３３０の数は特に限定されるものではないが、図７Ａ〜図７Ｃには、２つ図示している。板体３３０は、例えば、樹脂によって形成される。板体３３０の一端は、可動部３３１に取付けられている。
【０１２５】
可動部３３１は、板体３３０を稼働に本体フレーム２０に取り付けるための取付け部材である。可動部３３１は、Ｘ１軸方向を軸として板体３３０を回動可能な構造を有する。可動部３３１は、例えばばねを有し、板体３３０を図７Ａに示す姿勢となるように保持する。
【０１２６】
図７Ｂに示されるように、板体３３０は、電極３４のＺ１軸負方向側への移動に連動して、板体３３０の上部が電極３４に押圧される。これにより、板体３３０は、可動部３３１を軸として回動する。この際に、板体３３０は、使用者１０の頭髪Ｈを掻き分ける。
【０１２７】
図７Ｃに示されるように、板体３３０が使用者１０の頭髪Ｈを掻き分けることにより、電極３４は、使用者１０の頭皮に直接接触しやすくする。
【０１２８】
以上のように、実施の形態３の変形例に示す脳波計の電極部３０ｃのような構成によっても、電極３４が使用者１０の頭部に接触しやすくなるため、精度良く脳波を測定することができる。
【０１２９】
なお、図７Ａ〜図７Ｃにおいては、櫛部３００ａは、本体フレーム２０に取り付けられている。しかしながら、櫛部３００ａが取り付けられる位置は、特に限定されない。例えば、櫛部３００ａは、取付部３１に取付けられてもよい。このような構成によれば、本体フレーム２０に取り付けられる電極部の位置によらず、櫛部３００ａは、使用者１０の頭髪Ｈを核分けることができる。
【０１３０】
（その他の実施の形態）
以上、実施の形態に係る脳波計について説明したが、本発明は、上記実施の形態に限定されるものではない。
【０１３１】
例えば、上記実施の形態では、制御装置は、プロセッサがプログラムを実行することによってソフトウェア的に実現されたが、このような実現方法に限定されない。制御装置は、ゲートアレイ等を用いた専用の電子回路によってハードウェア的に実現されてもよい。
【０１３２】
その他、各実施の形態に対して当業者が思いつく各種変形を施して得られる形態、又は、本発明の趣旨を逸脱しない範囲で各実施の形態における構成要素及び機能を任意に組み合わせることで実現される形態も本発明に含まれる。
【符号の説明】
【０１３３】
２０  本体フレーム
２１  開口
３０、３０ａ、３０ｂ、３０ｃ  電極部
３１  取付部
３２  調整つまみ
３４、３８  電極（電極対）
３４ａ  第一電極
３４ｂ  第二電極
３５  アンプ
３６、３６ａ  支持部
３８ａ  接触面
４０  計測部
１００  脳波計
１０１、１０１ａ  容器
１１０  孔
１２０  押出部
１３０  排出部
１４０  弁
１５０  塗布部（シリンジ）
１５０ａ  塗布部
２００  押圧部
３００、３００ａ  櫛部
３１０  櫛歯部
３２０  筒部
Ｈ  頭髪
Ｐ  導電性ペースト
【図１】
2019000406.tif 000003
【図２】
2019000406.tif 000004
【図３】
2019000406.tif 000005
【図４Ａ】
2019000406.tif 000006
【図４Ｂ】
2019000406.tif 000007
【図４Ｃ】
2019000406.tif 000008
【図５Ａ】
2019000406.tif 000009
【図５Ｂ】
2019000406.tif 000010
【図５Ｃ】
2019000406.tif 000011
【図５Ｄ】
2019000406.tif 000012
【図６Ａ】
2019000406.tif 000013
【図６Ｂ】
2019000406.tif 000014
【図６Ｃ】
2019000406.tif 000015
【図７Ａ】
2019000406.tif 000016
【図７Ｂ】
2019000406.tif 000017
【図７Ｃ】
2019000406.tif 000018